(57)【要約】【課題】扉を開閉する蝶番を設けるための空間を縮小できる扉の開閉機構および当該扉の開閉機構を備えた操作ボックスおよび当該操作ボックスを備えた工作機械を提供する。【解決手段】工作機械では、操作ボックスに操作パネル２１を開閉させる蝶番機構３０を設けている。支軸４２と操作パネル２１との間を連結する扉側蝶番５０を矩形枠状に構成して左右方向の幅寸法を縮小したので、液晶画面２７の外縁部と操作パネル２１の外縁部との間の幅方向寸法を縮小できる。扉側蝶番５０を被支持部材６０と扉側固定部材７０の２部品で構成し、被支持部材６０に対して扉側固定部材７０を移動させて、支軸４２と操作パネル２１との距離を離間させる。操作パネル２１の回動軌跡を確保できる。【選択図】図６
2010221332.tif 000002
【特許請求の範囲】
【請求項１】
箱体の前面に設けた開口部を、当該開口部近傍に設けた蝶番によって当該蝶番の軸に回動可能に支持される扉で開閉する扉の開閉機構において、
前記蝶番は、
前記扉の支持される側の端部に設けた扉側蝶番と、
前記開口部近傍に設け、前記扉側蝶番を前記軸に回動可能に支持する箱体側蝶番と
で構成され、
前記扉側蝶番は、
前記箱体側蝶番の前記軸に支持される被支持部と、
前記扉側に固定された扉側固定部と、
当該扉側固定部を前記被支持部に対して前記軸の軸線と垂直方向に移動可能に連結する連結機構と
から構成されたことを特徴とする扉の開閉機構。
【請求項２】
前記連結機構は、
前記被支持部又は前記扉側固定部に設けられ、前記移動方向に長手を有する長穴と、
前記扉側固定部又は前記被支持部に設けられ、前記長穴に遊嵌状態で係合する係合部と
から構成されたことを特徴とする請求項１に記載の扉の開閉機構。
【請求項３】
前記係合部は、ネジ形成部と、当該ネジ形成部よりも径が大きい摺動部と、操作部とで構成し、
前記摺動部は、前記長穴が形成された前記被支持部、又は前記長穴が形成された前記扉側固定部よりも板厚が長いことを特徴とする請求項２に記載の扉の開閉機構。
【請求項４】
機械を操作する操作盤を備えた操作ボックスであって、
当該操作ボックスの前面の開口部に設けられ、前記操作盤を支持するとともに、開閉可能に支持された扉と
請求項１乃至３の何れかに記載の扉の開閉機構と
を備えたことを特徴とする操作ボックス。
【請求項５】
ワークを加工する工作機械であって、
請求項４に記載の操作ボックスを備えたことを特徴とする工作機械。
【発明の詳細な説明】
【技術分野】
【０００１】
本発明は、箱体の前面に設けた開口部を、蝶番によって回動可能に支持される扉で開閉する扉の開閉機構および当該扉の開閉機構を備えた操作ボックスおよび当該操作ボックスを備えた工作機械に関する。
【背景技術】
【０００２】
従来、工作機械は、被加工物を切削加工する機械本体と、該機械本体の基台となる鉄製のベースとを備えている。ベース上には、機械本体の周囲を取り囲む箱型のカバーを備えている。カバーの正面には、工作機械を操作する操作パネルを前面に備えた操作ボックスを設けている。操作パネルは、操作ボックスの前面に設けられた開口部に開閉可能に軸支している。操作パネルには、工作機械の動作を設定する設定画面を表示する液晶画面を設けている。例えば、工作機本体を覆うカバーのパネル取付部に、操作パネルをヒンジ機構を介して回動可能に取り付けた工作機械がある（例えば、特許文献１参照）。
【先行技術文献】
【特許文献】
【０００３】
【特許文献１】特開２００５−２３０９５１号公報
【発明の概要】
【発明が解決しようとする課題】
【０００４】
しかしながら、工作機械の省スペース化が要求されている中、機械本体と同様に操作パネルの液晶画面を小さくすると作業性が低下してしまう。特許文献１に記載の工作機械において、操作パネルを小さくしつつ、液晶画面を現状の大きさで維持した場合、操作パネルを開閉するためのヒンジ機構を設けるための空間を確保するのが困難であった。
【０００５】
本発明は、上述の課題を解決するためになされたものであり、扉を開閉する蝶番を設けるための空間を縮小できる扉の開閉機構および当該扉の開閉機構を備えた操作ボックスおよび当該操作ボックスを備えた工作機械を提供することを目的とする。
【課題を解決するための手段】
【０００６】
上記目的を達成するために、請求項１に係る扉の開閉機構は、箱体の前面に設けた開口部を、当該開口部近傍に設けた蝶番によって当該蝶番の軸に回動可能に支持される扉で開閉する扉の開閉機構において、前記蝶番は、前記扉の支持される側の端部に設けた扉側蝶番と、前記開口部近傍に設け、前記扉側蝶番を前記軸に回動可能に支持する箱体側蝶番とで構成され、前記扉側蝶番は、前記箱体側蝶番の前記軸に支持される被支持部と、前記扉側に固定された扉側固定部と、当該扉側固定部を前記被支持部に対して前記軸の軸線と垂直方向に移動可能に連結する連結機構とから構成されている。
【０００７】
また、請求項２に係る扉の開閉機構は、請求項１に記載の発明の構成に加え、前記連結機構は、前記被支持部又は前記扉側固定部に設けられ、前記移動方向に長手を有する長穴と、前記扉側固定部又は前記被支持部に設けられ、前記長穴に遊嵌状態で係合する係合部とから構成されている。
【０００８】
また、請求項３に係る扉の開閉機構は、請求項２に記載の発明の構成に加え、前記係合部は、ネジ形成部と、当該ネジ形成部よりも径が大きい摺動部と、操作部とで構成し、前記摺動部は、前記長穴が形成された前記被支持部、又は前記長穴が形成された前記扉側固定部よりも板厚が長いことを特徴とする。
【０００９】
また、請求項４に係る操作ボックスは、機械を操作する操作盤を備えた操作ボックスであって、当該操作ボックスの前面の開口部に設けられ、前記操作盤を支持するとともに、開閉可能に支持された扉と請求項１乃至３の何れかに記載の扉の開閉機構とを備えている。
【００１０】
また、請求項５に係る工作機械は、ワークを加工する工作機械であって、請求項４に記載の操作ボックスを備えている。
【発明の効果】
【００１１】
請求項１に係る扉の開閉機構では、扉側蝶番を、箱体側蝶番の軸に支持される被支持部と、扉側に固定された扉側固定部とで構成し、連結機構によって扉側固定部を被支持部に対して軸の軸線と垂直方向に移動可能に連結している。扉を開くときに、扉側固定部を被支持部に対して軸の軸線と垂直方向に移動させ、軸中心から扉を離間させることができる。つまり、扉を閉じた状態において扉と軸との間隔を狭めることができるので、蝶番を設けるための空間を狭めることができる。箱体および扉の大きさを小さくできる。
【００１２】
また、請求項２に係る扉の開閉機構では、請求項１に記載の発明の効果に加え、連結機構では、扉側固定部の移動方向に長手を有する長穴に遊嵌状態で係合部が係合している。これにより、被支持部から扉側固定部を離脱させないで、扉側固定部を被支持部に対して軸の軸線と垂直方向に移動させることができる。
【００１３】
また、請求項３に係る扉の開閉機構では、請求項２に記載の発明の効果に加え、摺動部は長穴が形成された被支持部、又は長穴が形成された扉側固定部よりも板厚が長い。これにより、係合部を長穴に差し込んだ状態では、操作部が長穴の周縁部に係合し、かつ長穴の内側に摺動部が位置する。摺動部が長穴の内側に沿って移動するので、扉側固定部を被支持部に対して緩やかに移動させることができる。
【００１４】
また、請求項４に係る操作ボックスでは、請求項１乃至３の何れかの扉の開閉機構を備えているので、操作盤を支持する扉を開閉する蝶番を設けるための空間を狭めることができる。従って、操作ボックスの大きさを縮小できる。
【００１５】
また、請求項５に係る工作機械では、請求項４に記載の操作ボックスを備えているので、工作機械の省スペース化を図ることができる。
【図面の簡単な説明】
【００１６】
【図１】工作機械１の斜視図（開口部１０を閉じた状態）である。
【図２】工作機械１の斜視図（開口部１０を開放した状態）である。
【図３】操作ボックス２０の正面図である。
【図４】操作ボックス２０の背面側から見た斜視図（底壁は省略）である。
【図５】図４に示す蝶番機構３０の部分拡大図である。
【図６】図３に示すＡ−Ａ線矢視方向断面図である。
【図７】図５に示す蝶番機構３０の状態から、扉側固定部材７０を被支持部材６０から引き出してスライドさせた状態を示す斜視図である。
【図８】図６に示す蝶番機構３０の状態から、扉側固定部材７０を被支持部材６０から引き出してスライドさせた状態を示す平面図である。
【図９】操作パネル２１を支軸４２を中心に回動させた状態を示す平面図である。
【発明を実施するための形態】
【００１７】
以下、本発明の一実施形態である工作機械１について、図面に基づいて説明する。以下説明において、工作機械１のＸ軸方向とは、工作機械１の左右方向（図１において、後述する右扉１１、左扉１２がある方が工作機械１の前方）を指し、Ｙ軸方向とは、工作機械１の奥行き方向（前後方向）を指し、Ｚ軸方向とは、工作機械１の上下方向を指すものとする。
【００１８】
工作機械１の構成について、図１，図２を参照して説明する。工作機械１は、被加工物（図示外）と工具（図示外）とを相対移動させ、被加工物に所望の機械加工（例えば、「フライス削り」、「穴空け」、「切削」等）を施す。工作機械１は、基台となる鉄製のベース２と、該ベース２の上部に設けられた機械本体とを備える。ベース２上には、機械本体を取り囲んで保護する箱型のスプラッシュカバー３を設けている。スプラッシュカバー３の背面側には、工作機械１の動作を制御する制御装置９を設けている。
【００１９】
ベース２について説明する。図１，図２に示すように、ベース２はＹ軸方向に延設した形状を有する。ベース２の下部の四隅には、高さ調節が可能な脚部を各々設けている。
【００２０】
スプラッシュカバー３について説明する。スプラッシュカバー３は箱型である。スプラッシュカバー３の正面パネル５の略中央には略長方形状の開口部１０を設けている。開口部１０には、左右方向にスライドする右扉１１と左扉１２とを設けている。右扉１１および左扉１２は、正面パネル５の内面であって、開口部１０の上側内縁部の近傍および下側内縁部の近傍に沿って設けたガイドレール（図示外）に沿って移動する。
【００２１】
右扉１１は、開口部１０の右半分（正面パネル５を正面から見たときの右半分）を閉塞する。左扉１２は、開口部１０の左半分（正面パネル５を正面から見たときの左半分）を閉塞する。正面パネル５を正面から見た場合に、右扉１１は奥側に位置し、左扉１２は手前側（作業者側）に位置する。右扉１１および左扉１２は、中央部に工作機械１の外側から前記機械本体を目視可能な窓１１Ａ，１２Ａを有している。窓１１Ａ，１２Ａは、切削液、切粉の接触に耐えうる透明な強化樹脂材で形成されている。
【００２２】
右扉１１の前面の右側下部には把手１１Ｂを設けている。開口部１０を閉じた状態で、把手１１Ｂで右扉１１を左側に移動させると（図１参照）、図２に示すように、左扉１２もその移動に追従して左側に移動し、開口部１０が開口する。作業者は、開口した開口部１０を介して、ベース２上に設置した後述するテーブル８に対して被加工物の着脱を行う。
【００２３】
正面パネル５において開口部１０の右側には、工作機械１を操作するための操作ボックス２０を嵌め込んでいる。操作ボックス２０の前面には、図３に示すように、工作機械１の加工プログラムや、パラメータを設定するための操作パネル２１を設けている。操作パネル２１の裏面に設けた回路基板２８（図４参照）を、配線（図示外）を介して制御装置９に接続している。
【００２４】
図１，図２に示すように、スプラッシュカバー３の右側壁には、機械本体のメンテナンスを行うための矩形状の開口部１４を設けている。開口部１４には、板状の点検ハッチ１７を着脱可能に取り付けている。スプラッシュカバー３の開口する上部には、工具交換装置６のマガジンモータ１８、後述するケーブルベア１９等が突出している。
【００２５】
機械本体について説明する。図２に示すように、機械本体は、ベース２の上面後方に固定した柱状のコラム（図示外）と、該コラムの前面側に沿って昇降可能に設けた主軸ヘッド（図示外）と、該主軸ヘッドの下部に設けた主軸（図示外）と、該主軸ヘッドの前側に支持した工具交換装置６（ＡＴＣ）とを備えている。工具交換装置６は、複数の工具を把持し、かつ主軸に装着された工具を自動的に交換する。ベース２の上部には、ＸＹ軸方向に移動可能なテーブル８を設けている。主軸ヘッドの上部近傍には、主軸ヘッドの配線処理を行うためのケーブルベア１９を設けている。
【００２６】
操作ボックス２０の構造について、図３，図４を参照して説明する。操作ボックス２０は、略直方体状の金属製（例えば、鉄製）の箱である。操作ボックス２０は、前面が開口するボックス本体２２と、当該ボックス本体２２の前面に設けた操作パネル２１とからなる。操作パネル２１は、ボックス本体２２の開口端の左端部近傍に軸支しているので開閉可能であるが、通常時、操作パネル２１の外周縁近傍を複数の固定ネジ２６で固定している。操作パネル２１の下側には、予備開口部（図示外）を設けている。予備開口部には予備スイッチパネル２３を設け、固定ネジ２６で固定している。
【００２７】
操作パネル２１について、図３を参照して説明する。操作パネル２１は、正面視縦長の長方形状の板材である。操作パネル２１の表面の上半分には、工作機械１の設定画面および稼働状況等を表示する正面視矩形状の液晶画面２７を設けている。液晶画面２７の下方には、工作機械１を起動させる起動スイッチ、工具交換装置６による工具の交換動作を指示する操作スイッチ等の各種スイッチおよびボタンを設けた操作部２９を設けている。
【００２８】
操作部２９における各スイッチのＯＮ、ＯＦＦにより、操作パネル２１の裏面側に設けた回路基板２８（図４参照）から配線を介して制御装置９（図１参照）に信号を出力する。制御装置９は、工作機械１を構成する各装置に制御信号を出力する。工作機械１は、操作パネル２１の入力に基づき、制御装置９が出力する制御信号に従って加工動作を行う。操作パネル２１が本発明の「扉」、「操作盤」に相当する。
【００２９】
操作パネル２１において、図３に示すように、操作パネル２１を正面から見た場合に、ボックス本体２２に軸支させる側の左端部を軸支側端部１５とし、右端部を開閉側端部１６とする。図４に示すように、操作パネル２１の裏面側の軸支側端部１５近傍の上部には、蝶番機構３０を設けている。蝶番機構３０は、操作パネル２１をボックス本体２２に対して開閉可能に軸支する。
【００３０】
蝶番機構３０の構造について、図５，図６を参照して説明する。蝶番機構３０は、ボックス本体２２側に固定した箱体側蝶番４０（図６参照）と、操作パネル２１側に固定した平面視矩形枠状の扉側蝶番５０とからなる。箱体側蝶番４０は、扉側蝶番５０を回動可能に軸支する。
【００３１】
箱体側蝶番４０の構造について、図６を参照して説明する。箱体側蝶番４０は、図６に示すように、ボックス本体２２の左側壁の内面の前側部位に固定した板状の固定板４１と、該固定板４１に設けた棒状の支軸４２とからなる。支軸４２は、ボックス本体２２の上下方向に対して平行に、かつボックス本体２２の左側壁の内面から所定隙間を空けるようにして位置する。
【００３２】
扉側蝶番５０の構造について、図５，図６を参照して説明する。扉側蝶番５０は、箱体側蝶番４０の支軸４２に軸支させ、平面視略Ｕ字状の被支持部材６０と、操作パネル２１の裏面の軸支側端部１５側に固定した平面視Ｌ字状の扉側固定部材７０と、被支持部材６０と扉側固定部材７０とを水平方向に連結するボルト８１およびナット８７とを備えている。
【００３３】
被支持部材６０の構造について、図５，図６を参照して説明する。被支持部材６０は、支軸４２に軸支させる板状の被軸支部材６１と、扉側固定部材７０に連結させる板状の連結部材６４とを溶接して一体的に固定した平面視略Ｕ字状の板材である。
【００３４】
被軸支部材６１は、ボックス本体２２の前後方向に長手を有する板材である。被軸支部材６１の前端部には、支軸４２に外挿させる円筒状の筒部６２を設けている。被軸支部材６１の後端部には、ボックス本体２２の右側方に向けて略直角に折り返した固定部６３を設けている。
【００３５】
連結部材６４は、中央を平面視略Ｌ字に折り曲げた板材である。連結部材６４は、被軸支部材６１の固定部６３に溶接して一体的に固定した板状の固定部６５と、該固定部６５の右側方に向けた一端部から略直角に折り返して前方に延設した板状の連結部６６とからなる。連結部６６には、図５に示すように、ボルト８１を挿入するために形成した一対の長穴６８，６８をボックス本体２２の上下方向に並べて設けている。長穴６８，６８は、支軸４２の長手方向に対して直交する方向に、かつボックス本体２２の前後方向に長い形状を有している。
【００３６】
扉側固定部材７０の構造について、図５，図６を参照して説明する。扉側固定部材７０は、ボックス本体２２の前後方向に延設している。扉側固定部材７０の前端部には左側方に略直角に折り返した固定部７１を設けている。扉側固定部材７０の固定部７１を、操作パネル２１の裏面の軸支側端部１５側の上部に固定することで、扉側固定部材７０を操作パネル２１に固定できる。扉側固定部材７０の後端側には、連結部材６４の連結部６６に設けた一対の長穴６８，６８（図５参照）に対応する位置に、ボルト８１を挿入するために形成した一対の円形状の挿入穴７２，７２を設けている。
【００３７】
ボルト８１の形状について、図５，図６を参照して説明する。ボルト８１は、円柱状に形成し、かつ外周面にネジ山を形成したネジ形成部８４と、当該ネジ形成部８４よりも径が大きい円柱状の摺動部８３と、六角柱に形成した六角部８２とが同軸上に連結してなる。ナット８７は六角形状であって周知の一般部品である。摺動部８３の軸方向の長さは、長穴６８，６８を有する連結部材６４の連結部６６の板厚よりも長く調整している。六角部８２が本発明の「操作部」に相当する。
【００３８】
被支持部材６０に対する扉側固定部材７０の連結方法について、図５，図６を参照して説明する。箱体側蝶番４０が軸支する被支持部材６０の連結部６６に対して、扉側固定部材７０の後端側を被支持部材６０の内側から重ねて密着させる。被支持部材６０の連結部６６に設けた一対の長穴６８，６８の位置に対して、扉側固定部材７０の後端側に設けた挿入穴７２，７２の位置を合わせる。
【００３９】
ボルト８１を長穴６８，６８および挿入穴７２，７２にそれぞれ挿入する。ボルト８１の六角部８２が連結部６６の面に係止する。扉側蝶番５０の内側において、扉側固定部材７０の一対の挿入穴７２から突き出たネジ形成部８４に対してナット８７を各々締結する。このようにして、被支持部材６０に対して扉側固定部材７０を連結できる。
【００４０】
操作パネル２１をボックス本体２２に固定する手順について、図５，図６を参照して説明する。操作パネル２１をボックス本体２２に固定する場合、ボルト８１に締結したナット８７を緩める。被支持部材６０と扉側固定部材７０との連結部分において、長穴６８におけるボルト８１の位置が、ボックス本体２２の後方（奥側）に位置するように、被支持部材６０に対して扉側固定部材７０を後方にスライドさせる（図５参照）。
【００４１】
上述したように、ボルト８１の摺動部８３の軸方向の長さは、連結部材６４の連結部６６の板厚よりも長くなっている。従って、被支持部材６０に対して扉側固定部材７０を連結した状態では、連結部６６に設けた長穴６８の内側に対して、ボルト８１の摺動部８３が位置する。摺動部８３の径は、長穴６８の上下の幅よりも短くなっている。ボルト８１の摺動部８３は、長穴６８の内側に対して遊嵌状態である。従って、ボルト８１に締結したナット８７を緩めた状態では、摺動部８３の滑らかな周面が長穴６８の内周面に沿って摺動するので、被支持部材６０に対して扉側固定部材７０を滑らかにスライドさせることができる。摺動部８３は、ネジ形成部８４よりも径が大きく丈夫であるので、摺動部８３の周面に長穴６８の内周面が接触して負荷がかかっても折損するのを防止できる。
【００４２】
長穴６８におけるボルト８１の位置が、ボックス本体２２の後方に位置した状態（図５参照）では、操作パネル２１は支軸４２に対して近接した位置となる。ボックス本体２２の開口端に操作パネル２１の裏面が当接する。ボックス本体２２の開口端に設けた複数の穴部（図示外）の位置に、操作パネル２１の外周に設けた複数の穴部（図示外）の位置を合わせて固定ネジ２６を締結する（図３参照）。こうして、操作パネル２１をボックス本体２２の前面の開口端に固定できる。操作パネル２１が支軸４２に対して近接した状態で、支軸４２を中心に操作パネル２１を回動させた場合、操作パネル２１の軸支側端部１５の回動軌跡はボックス本体２２の開口端に当たるので、操作パネル２１を回動させることはできない。
【００４３】
操作パネル２１をボックス本体２２に対して回動させる手順について、図７，図８を参照して説明する。作業者は操作パネル２１の点検、修理又は部品の交換等を行う際に、操作パネル２１をボックス本体２２から回動させる。操作パネル２１をボックス本体２２に対して回動させる場合、操作パネル２１を固定していた固定ネジ２６を取り外す。ボルト８１に締結したナット８７を緩める。被支持部材６０と扉側固定部材７０との連結部分において、長穴６８におけるボルト８１の位置が、ボックス本体２２の最も前方（手前側）に位置するように、被支持部材６０に対して扉側固定部材７０を前方に引き出してスライドさせる（図６参照）。
【００４４】
長穴６８におけるボルト８１の位置が、ボックス本体２２の最も前方に位置した状態（図７参照）では、操作パネル２１は支軸４２に対して最も離間した位置となる。ボックス本体２２の開口端に対して操作パネル２１の裏面が離間する。この状態では、操作パネル２１の軸支側端部１５の回動軌跡がボックス本体２２の開口端に当たらないので、支軸４２を中心に、操作パネル２１を回動させることができる。
【００４５】
このように、操作パネル２１を回動させる場合は、支軸４２と操作パネル２１との距離を離間させ、操作パネル２１の回動半径を伸ばすことによって、操作パネル２１の回動軌跡を確保することができ、操作パネル２１を回動させることができる。
【００４６】
以上説明したように、本実施形態の工作機械１では、スプラッシュカバー３に設けた操作ボックス２０に操作パネル２１を開閉させる蝶番機構３０を設けている。蝶番機構３０において、支軸４２と操作パネル２１との間を連結する扉側蝶番５０を平面視矩形枠状（図６参照）に構成し、その左右方向の幅寸法を縮小した。これにより、液晶画面２７の外縁部と操作パネル２１の外縁部との間の幅方向寸法Ｋ（図６参照）を縮小できる。即ち、液晶画面２７の大きさを維持しつつ操作パネル２１の幅方向寸法を縮小できるので、工作機械１の省スペース化に貢献できる。蝶番機構３０では、操作パネル２１をボックス本体２２に固定した状態において、操作パネル２１は支軸４２に対して最も近接した位置となる。この状態では、ボックス本体２２の開口端が邪魔となるので、操作パネル２１を回動させることができない。
【００４７】
蝶番機構３０では、扉側蝶番５０を、被支持部材６０と扉側固定部材７０の２部品で構成し、操作パネル２１に固定した扉側固定部材７０を、箱体側蝶番４０が軸支する被支持部材６０に対して移動可能に連結している。扉側固定部材７０を移動させて、支軸４２と操作パネル２１との距離を離間させる。操作パネル２１の回動半径を伸ばすことができるので、操作パネル２１の回動軌跡を確保することができ、操作パネル２１を回動させることができる。
【００４８】
なお、本発明は、上記の各実施形態に限定されることなく、各種の変形が可能である。例えば、上記実施形態では、扉側蝶番５０の被支持部材６０の連結部６６に長穴６８を設け、扉側固定部材７０に挿入穴７２を設けたが、扉側固定部材７０に長穴を設け、被支持部材６０の連結部６６に挿入穴を設けてもよい。
【００４９】
上記実施形態では、左右方向に回動する操作パネル２１を一例として説明したが、上下方向に回動する扉にも本発明を適用することができる。
【産業上の利用可能性】
【００５０】
本発明の扉の開閉機構は、工作機械の操作ボックスのみならず、パネルの開口部近傍に開閉可能に軸支された扉を有する扉を有する各種箱体に適用可能である。
【符号の説明】
【００５１】
１  工作機械
２  ベース
３  スプラッシュカバー
２０  操作ボックス
２１  操作パネル
２２  ボックス本体
２７  液晶画面
３０  蝶番機構
４０  箱体側蝶番
４２  支軸
５０  扉側蝶番
６０  被支持部材
６８  長穴
７０  扉側固定部材
７２  挿入穴
８１  ボルト
８２  六角部
８３  摺動部
８４  ネジ形成部
８７  ナット
【図１】
2010221332.tif 000003
【図２】
2010221332.tif 000004
【図３】
2010221332.tif 000005
【図４】
2010221332.tif 000006
【図５】
2010221332.tif 000007
【図６】
2010221332.tif 000008
【図７】
2010221332.tif 000009
【図８】
2010221332.tif 000010
【図９】
2010221332.tif 000011